(57)【要約】【課題】上棚かごに覆われた下かご空間を開放して食器を容易に出し入れすることができ、使い勝手が良い食器洗い機を提供する。【解決手段】上方に開口を有する洗浄槽と、洗浄槽内に上下に配設され食器類を載置する下かごと上棚かごと、前記下かごに小物入れとを備え、前記小物入れと前記上棚かごとを横移動可能に構成し、上棚かごに食器が載置された状態で移動可能とするとともに、小物入れにも食器が収容された状態で移動可能とすることで、上棚かごに覆われた下かご空間を開放して食器を容易に出し入れすることができるようにした。【選択図】図１
2013176541.tif 000002
【特許請求の範囲】
【請求項１】
上方に開口部を有する洗浄槽と、前記洗浄槽内に上下に配設され食器類を載置する下かごと上棚かごと、前記下かごに小物入れとを備え、前記小物入れと前記上棚かごとを横移動可能に構成した食器洗い機。
【請求項２】
前記上棚かごは、前記小物入れの上部空間を覆わない部分を残すように移動範囲を規制された請求項１記載の食器洗い機。
【請求項３】
前記洗浄槽の対面する側壁にレール部材が設けられ、前記上棚かごは前記レール部材に支持されて移動するように構成され、前記レール部材に前記上棚かごの移動範囲を規制する規制部が設けられた請求項１または２記載の食器洗い機。
【請求項４】
前記規制部は、前記レール部材の上面に設けられた段差により構成された請求項３記載の食器洗い機。
【請求項５】
前記洗浄槽は前方に第１の開口部を有する筐体の内部に設けられ、前記上棚かごは、前記洗浄槽の引き出し方向に対して垂直方向に移動するように構成された請求項１〜４のうちいずれか一項記載の食器洗い機。
【発明の詳細な説明】
【技術分野】
【０００１】
本発明は食器類を洗浄する食器洗い機に関するものである。
【背景技術】
【０００２】
従来、この種の食器洗い機は図５，６のように構成されている（例えば、特許文献１参照）。図５は、従来の食器洗い機の正面断面図、図６は、同じく側面断面図で、システムキッチンに組み込まれた状態を示すものである。図に示すように、前方に第１の開口部１を有する筐体２はシステムキッチンに収容され、筐体２の内部に設けられた洗浄槽３は、前方に第１の開口部１を覆う扉体４と、上方に第２の開口部５を有し、内部に食器類６を収容する食器かご７を配置している。食器かご７の下方には洗浄ノズル８を回転自在に設けており、洗浄槽３内に溜めた洗浄水をポンプ９によって循環させ、洗浄ノズル８より噴射して食器類６を洗浄する。洗浄槽３の左右側部の外側下方にはレール１０が配設され、洗浄槽３は、前後方向へ移動可能に筐体２の左右側面の内側で支持されている。
【０００３】
使用者は、扉体４に一体的に形成された把手部１１をつかみ、洗浄槽３を前方に引き出し、第２の開口部５より食器類６の出し入れを行う。筐体２内の上部空間には第２の開口部５を封止する内蓋１２が設けられ、洗浄槽３が筐体２内に戻される時に、筐体２内の上部空間に待機していた内蓋１２が、筐体２の左右側面の内側に配したリンク機構１３等により後方へ移動しつつ降下して第２の開口部５を閉塞するよう構成されている。
【０００４】
また、食器かご７は、下かご１４と上棚かご１５の上下２段で構成され、下かご１４には、箸やスプーン等の細長いカトラリーを立てて収容する小物入れ１６が上棚かご１５を避けた位置に配置され、洗浄槽３内の空間を効率的に活用して、より多くの食器類６を収納して効率よく洗浄できるように工夫されている。下かご１４には皿や椀類、上棚かご１５にはコップや湯飲み類、小物入れ１６には箸やスプーン等の細長いカトラリーが収納される。
【０００５】
使用者が食器類６の出し入れを行う際には、洗浄槽３を前方に引き出し、第２の開口部５より行うが、上棚かご１５に食器類６を載置してしまうと下かご１４へ食器類６を載置しにくくなるため、通常は下かご１４から先に載置する。上棚かご１５は、洗浄槽３の内壁側を支点として回動自在で立ち上げられる構成として、下かご１４に食器類６を載置する際の邪魔にならないようにしているものが多い。また、特許文献１のように、上棚かご１５を回動自在とするのではなく、摺動するなどして横方向に移動できるようにした構成もある。
【０００６】
食器洗い機は、使用者によって洗浄槽３が筐体２内に戻され、運転を開始されると、洗浄槽３の底部に配置されたヒータ１６によって洗浄水を加熱しながら、その洗浄水を洗浄ノズル８から食器類６に向かって噴射し、食器類６の汚れを落とす洗浄行程を行う。その後、食器類６をすすいだ後、排水を行い、洗浄槽３内の空気をヒータ１６によって暖めつつ、送風手段１５によって排気する乾燥行程を行って運転を終了する。
【先行技術文献】
【特許文献】
【０００７】
【特許文献１】特開２００６−０６１３５８号公報
【発明の概要】
【発明が解決しようとする課題】
【０００８】
しかしながら、前記従来の構成では、下かご１４から順に汚れた食器類６を載置する必要があるが、使用者が、食器類６を下かご１４、上棚かご１５に関係なく載置して、先に上棚かご１５に食器類６を載置してしまうと、上棚かご１５を回動して立ち上げることができず、上棚かご１５に覆われた下かご１４スペースには食器類６を載置しにくくなり、場合によっては一旦上棚かご１５に載置した食器類６を取り出す必要があるという課題を有していた。
【０００９】
また、上棚かご１５が洗浄槽３内を横移動可能に構成した場合でも、小物入れ１６に箸やスプーン等の細長い食器類６を載置した後では、上棚かご１５がこれらの食器類６に干渉して自由に移動することができないという課題を有していた。これらは、洗浄後の食器類の取り出しの際も、上棚かご１５から取り出さなければならないという順番を規制される点では同様である。
【００１０】
本発明は、上記従来の課題を解決するもので、上棚かごに食器を搭載した状態で移動可能とするとともに、小物入れも食器を収容した状態で横移動可能とすることで、上棚かごに覆われた下かご空間を開放して食器を容易に出し入れすることができ、使い勝手が良い食器洗い機を提供することを目的とする。
【課題を解決するための手段】
【００１１】
前記従来の課題を解決するために、本発明の食器洗い機は、上方に開口部を有する洗浄槽と、前記洗浄槽内に上下に配設され食器類を収容する下かごと上棚かごと、前記下かごに小物入れとを備え、前記小物入れと上棚かごとを横移動可能に構成したものである。
【００１２】
これによって、上棚かごを食器が載置された状態で移動可能とするとともに、小物入れも小物入れに食器が収容された状態で移動可能とすることで、上棚かごに覆われた下かご空間を開放して食器を容易に出し入れすることができる。
【発明の効果】
【００１３】
本発明の食器洗い機は、食器かごに食器を入れる際に、小物入れと上棚かごとを移動可能にすることで、下かごへ食器を容易に出し入れすることができ、使い勝手が良い食器洗い機を提供することができる。
【図面の簡単な説明】
【００１４】
【図１】本発明の実施の形態１における食器洗い機の側面断面図
【図２】同食器洗い機の食器かごの移動前の正面断面図
【図３】同食器洗い機の食器かごの移動後の正面断面図
【図４】（ａ）同食器洗い機の食器かごの移動位置を示す平面図（ｂ）同食器洗い機の食器かごの移動位置を示す平面図
【図５】従来の食器洗い機の正面断面図
【図６】従来の食器洗い機の側面断面図
【発明を実施するための形態】
【００１５】
第１の発明は、上方に開口を有する洗浄槽と、前記洗浄槽内に上下に配設され食器類を載置する下かごと上棚かごと、前記下かごに小物入れとを備え、前記小物入れと前記上棚かごとを横移動可能に構成したことにより、上棚かごに食器が載置された状態で移動可能とするとともに、小物入れにも食器が収容された状態で移動可能とすることで、上棚かごに覆われた下かご空間を開放して食器を容易に出し入れすることができる。
【００１６】
第２の発明は、第１の発明において、上棚かごは、小物入れの上部空間を覆わない部分を残すように移動範囲を規制されたことにより、小物入れに食器類を収容した状態で、不
用意に上棚かごが移動された場合でも、小物入れに収容した食器類に当たって無理な負荷をかけることがなく、小物入れや箸類を破損させることを防止することができる。
【００１７】
第３の発明は、第１または２の発明において、前記洗浄槽の対面する側壁にレール部材が設けられ、前記上棚かごは前記レール部材に支持されて移動するように構成され、前記レール部材に前記上棚かごの移動範囲を規制する規制部が設けられたことにより、上棚かごの移動範囲を容易に規制することができる。
【００１８】
第４の発明は、第３の発明において、前記規制部は、前記レール部材の上面に設けられた段差により構成されたことにより、使用者は、上方から洗浄槽を見ることにより上棚かごの規制部を容易に目視して規制範囲を明確に認識することができ、上棚かごの移動をスムーズに行うことができる。
【００１９】
第５の発明は、第１〜４のいずれかの発明において、洗浄槽は前方に第１の開口部を有する筐体の内部に設けられ、上棚かごは、前記洗浄槽の引き出し方向に対して垂直方向に移動するように構成されたことにより、洗浄槽が引き出されたり収納されたりする開閉動作の際に、移動可能な上棚かごと小物入れが慣性力によって移動してしまうことがなく、食器類の脱落や食器類同士の接触による破損を防止することができる。
【００２０】
以下、本発明の実施の形態について、図を参照しながら説明する。なお、この実施の形態によって本発明が限定されるものではない。
【００２１】
（実施の形態１）
図１〜図４は、本発明の第１の実施の形態における食器洗い機を示すもので、特に図４（ａ），（ｂ）は、上棚かご２７と小物入れ２９との移動位置の違いを示し、２７と２９にａ，ｂを付記した符号によって区別して示す。
【００２２】
図１〜４において、前方に第１の開口部２０を有する筐体２１の内部に設けられた洗浄槽２２は、前後に移動可能に構成され、前方に第１の開口部２０を覆う扉体２３と、上方に第２の開口部２４が設けられ、内部に食器類２５を載置する食器かご２６が配置されている。食器かご２６は、上棚かご２７が下かご２８の上部の一部を覆うように上下２段に構成されている。また、下かご２８には、箸やスプーン等の細長いカトラリー類を立てて収容できる小物入れ２９が配置されている。
【００２３】
洗浄槽２２の前後に対面する側壁には、レール部材３１が水平方向に取り付けられ、レール部材３１が上棚かご２７を支持している。上棚かご２７の両端には、摺動部材３０が設けられており、レール部材３１の溝部３１ａを摺動部材３０が摺動する。これにより上棚かご２７は、下かご２８の上方を食器洗い機の左右方向に、前方から見て最も左側の上棚かご２７ａ（図４（ａ））の位置から最も右側の上棚かご２７ｂ（図４（ｂ））の位置へ横移動が可能となる。さらに、上棚かご２７は、摺動部材３０を軸として回動することで立ち上げも可能に構成されている。また、上棚かご２７の両端に受け部３２が設けられ、受け部３２がレール部材３１の上面に当接することで、摺動部材３０を軸とした回動を止めるとともに、レール部材３１の上を摺動するように構成されている。
【００２４】
下かご２８には、上棚かご２７が移動する左右方向に、略直線状に形成された棒状の食器支持ピン３３が前後２列で一体的に形成され、２列の食器支持ピン３３の間に平行に小物入れ２９を支持する小物支持ピン３４が設けられている。小物入れ２９には、底部に食器支持ピン３３に対応した凹み３５（図１参照）が設けられ、小物入れ２９は、食器支持ピン３３を避けるようにして、小物支持ピン３４上を食器洗い機の左右方向に、前方から見て最も左側の小物入れ２９ａ（図４（ａ））の位置から最も右側の小物入れ２９ｂ（図
４（ｂ））の位置へ移動可能に設置されている。
【００２５】
レール部材３１には、上棚かご２７の移動範囲を規制する規制部が設けられている。レール部材３１は、図３，図４（ｂ）に示すように、長さを調整された溝部３１ａは所定の長さに調整されており、小物入れ２９が最も右側の小物入れ２９ｂの位置にあるとき、最も右側の上棚かご２７ｂが小物入れ２９ｂの上部空間を覆うことがないように、上棚かご２７の移動範囲を規制している。すなわち、上棚かご２７は、小物入れ２９の上部空間を覆わない部分を残すように移動範囲を規制されている。
【００２６】
また、この規制部は、レール部材３１の上面に所定の間隔を有する２ヶ所の段差３１ｂ，３１ｃを設け、受け部３２の移動を係止して移動範囲を規制する構成としても良い。規制部をレール部材３１に設けることにより、上棚かご２７を支持すると同時に、上棚かごの移動範囲を容易に規制することができる。なお、洗浄槽２２の中央側の段差３１ｃについては、上棚かご２７が洗浄槽２２の壁面に近接することで使用者が移動範囲の限界を認識できるため、必ずしも必要とは限らない。
【００２７】
以上のように構成された食器洗い機について、以下その動作、作用を説明する。まず、使用者は、洗浄槽２２を筐体２１から引き出し、図２，図４（ａ）に示すように、洗浄槽２２の最も左側に位置させた状態の上棚かご２７ａと、最も左側で中央よりに位置させた状態の小物入れ２９ａに、椀、コップ、皿、箸及びスプーン等の食器類２５を順不同で載置、収容してゆく。初期は、上棚かご２７ａを摺動部材３０を軸にして立ち上げることで、容易に下かご２８に椀や皿等の食器類２５を載置することができる。そして、コップ等の食器類２５を載置するため上棚かご２７ａを戻すようにしても良い。
【００２８】
その後、上棚かご２７ａに食器類２５を載置した状態で、上棚かご２７ａに覆われた下かご２８の空いた空間に食器類２５を載置する場合、小物入れ２９ａを下かご２８に設けた小物支持ピン３４に沿って洗浄槽２２の最も右側の小物入れ２９ｂに移動させる。このとき、小物入れ２９ａは、箸やスプーン等の食器類２５を収容した状態で、底部に設けた凹み３５によって、下かご２８に設けた食器支持ピン３３を避けながら横移動することができる。すなわち、小物入れ２９を横移動させるために、皿等の食器類２５を載置する空間が小さくなることはない。
【００２９】
次いで、コップ等の食器類２５が載置された上棚かご２７ａを最も右側の上棚かご２７ｂへ移動させる。これによって、食器類２５が載置された状態でも、上棚かご２７ａに覆われていた下かご２８の空いた空間に椀類等の食器類２５を載置することができる。
【００３０】
また、小物入れ２９を最も右側にした小物入れ２９ｂの状態では、最も左側にあった小物入れ２９ａのスペースに、下かご２８に設けられた食器支持ピン３３が出現するため、小物入れ２９ｂの状態に移動しても食器類２５を同じ量だけ載置することができる。
【００３１】
また、上棚かご２７は、レール部材３１によって、上棚かご２７ｂの最も右側の状態で移動範囲が規制され、上棚かご２７ｂが小物入れ２９ｂの上部空間を覆わない部分を残したので、小物入れ２９ｂに食器類２５を収容した状態で、不用意に上棚かご２７が移動された場合でも、小物入れ２９ｂに収容した食器類２５に当たって無理な負荷をかけることがなく、小物入れ２９や箸類を破損させることを防止することができる。
【００３２】
また、レール部材３１の上面に段差３１ｂなどの規制部を設けることによって、使用者は、上方から洗浄槽２２を見ることにより上棚かご２７の規制部を容易に目視して規制範囲を明確に認識することができ、上棚かご２７の移動をスムーズに行うことができる。
【００３３】
また、上棚かご２７は、洗浄槽２２の引き出し動作方向と垂直方向に移動するよう構成されたことにより、洗浄槽２２が引き出されたり収納されたりする際に、移動可能な上棚かご２７と小物入れ２９が、洗浄槽２２の開閉動作による慣性力によって移動してしまうことがなく、食器類２５の脱落や食器類２５同士の接触による破損を防止することができる。
【００３４】
なお、本実施の形態１の説明では、上棚かご２７と小物入れ２９との横移動は摺動するように構成したが、これに限るものではなく、ローラーを用いて移動をより軽くしたりすることもできる。また、横移動は左右方向に限るものではなく、上棚かご２７と小物入れ２９とを慣性力で移動しないようにしておくのであれば前後方向でも良い。
【産業上の利用可能性】
【００３５】
以上のように、本発明にかかる食器洗い機は、食器かごに食器を収容する際に、小物入れと上棚かごとを移動可能にすることで、上棚かごの下部の下かごへ食器を容易に出し入れできるので、システムキッチンにビルトインして使用されるタイプ等、特に洗浄槽の開口部が上方に形成された食器洗い機等に有用である。
【符号の説明】
【００３６】
２０  第１の開口部
２１  筐体
２２  洗浄槽
２４  第２の開口部（開口部）
２５  食器類
２６  食器かご
２７，２７ａ，２７ｂ  上棚かご
２８  下かご
２９，２９ａ，２９ｂ  小物入れ
３１  レール部材
３１ａ  溝部（規制部）
３１ｂ，３１ｃ  段差（規制部）
【図１】
2013176541.tif 000003
【図２】
2013176541.tif 000004
【図３】
2013176541.tif 000005
【図４】
2013176541.tif 000006
【図５】
2013176541.tif 000007
【図６】
2013176541.tif 000008